(57)【要約】【課題】充電池の管理を好適にできる充電池管理装置を提供する。【解決手段】充電池識別情報の項目と、充電池の各々の最大充電電力量の項目と、を含む充電池データを格納する充電池情報データベースと、充電池識別情報の項目と、充電池識別情報で特定される充電池の１回の利用期間の消費電力量の項目と、充電池識別情報で特定される充電池を利用したユーザを一意に特定するユーザ識別情報の項目と、を含む利用記録データを格納するユーザ利用情報データベースと、ユーザ利用情報データベースに基づいて、複数のユーザの各々の１回の利用期間での消費電力量の予測値である予測消費電力量を算出し、複数のユーザの各々の予測消費電力量と、充電池の各々の最大充電電力量と、に基づいて、交換推奨充電池を決定する充電池交換管理部と、を備える。【選択図】図３
2018163759.tif 000002
【特許請求の範囲】
【請求項１】
複数のユーザによって利用される複数の電子機器に搭載される、充電池を管理する充電池管理装置であって、
前記充電池の各々を一意に特定する充電池識別情報の項目と、前記充電池の各々の最大充電電力量の項目と、を含む充電池データを格納する充電池情報データベースと、
前記充電池識別情報の項目と、前記充電池識別情報で特定される充電池の１回の利用期間での消費電力量の項目と、前記充電池識別情報で特定される充電池を利用したユーザを一意に特定するユーザ識別情報の項目と、を含む利用記録データを格納するユーザ利用情報データベースと、
前記ユーザ利用情報データベースに基づいて、前記複数のユーザの各々の１回の利用期間での消費電力量の予測値である予測消費電力量を算出し、前記複数のユーザの各々の前記予測消費電力量と、前記充電池の各々の最大充電電力量と、に基づいて、交換を推奨する充電池である交換推奨充電池を決定する充電池交換管理部と、
を備える、充電池管理装置。
【請求項２】
前記ユーザ利用情報データベースは、
インシデントを一意に特定するインシデント識別情報の項目と、インシデントのタイプを表すインシデントタイプの項目と、インシデントの発生場所の項目と、を含むインシデントデータを更に格納し、
前記利用記録データは、
前記インシデント識別情報の項目と、前記インシデント識別情報で特定されるインシデントでの、前記ユーザ識別情報で特定されるユーザの役割の項目と、を更に含み、
前記充電池交換管理部は、
過去に発生したインシデントを前記インシデントタイプで分類し、前記インシデントタイプの各々における、出動したユーザの消費電力量に基づいて、前記インシデントタイプが消費電力量に与える影響を表す値である第１係数を算出し、
過去に発生したインシデントを前記発生場所で分類し、前記発生場所の各々における、出動したユーザの消費電力量に基づいて、前記発生場所が消費電力量に与える影響を表す値である第２係数を算出し、
過去に発生したインシデントでの前記役割の各々における、出動したユーザの消費電力量に基づいて、前記役割が消費電力量に与える影響を表す値である第３係数を算出し、
前記複数のユーザの各々の平均消費電力量に前記第１係数、前記第２係数及び前記第３係数を乗じることにより、前記複数のユーザの各々の前記予測消費電力量を算出する、請求項１に記載の充電池管理装置。
【請求項３】
前記充電池交換管理部は、
前記インシデントタイプにおける平均消費電力量を、過去に発生した全てのインシデントにおける平均消費電力量で除することにより、前記インシデントタイプが平均消費電力量に与える影響を表す基礎値を算出し、
前記インシデントタイプにおける消費電力量の標準偏差の、前記インシデントタイプにおける平均消費電力量に対する比と、予め定められた安全係数に、前記インシデントタイプにおける消費電力量の標準偏差を乗じ、前記インシデントタイプにおける平均消費電力量で除した値と、を加えることにより、前記インシデントタイプにおける標準偏差による影響値を算出し、
前記インシデントタイプが平均消費電力量に与える影響を表す基礎値と、前記インシデントタイプにおける標準偏差による影響値と、を乗ずることにより、前記第１係数を算出し、
前記発生場所における平均消費電力量を、全ての発生場所における平均消費電力量で除することにより、前記発生場所が消費電力量に与える影響を表す基礎値を算出し、
前記発生場所における消費電力量の標準偏差の、前記インシデントの発生場所における平均消費電力量に対する比と、前記安全係数に、前記発生場所における消費電力量の標準偏差を乗じ、前記発生場所における平均消費電力量で除した値と、を加えることにより、前記発生場所における消費電力量の標準偏差による影響値を算出し、
前記発生場所が平均消費電力量に与える影響を表す基礎値と、前記発生場所における標準偏差による影響値と、を乗ずることにより、前記第２係数を算出し、
前記役割における平均消費電力量を、全ての役割における平均消費電力量で除することにより、前記役割が消費電力量に与える影響を表す基礎値を算出し、
前記役割における消費電力量の標準偏差の、前記役割における平均消費電力量に対する比と、前記安全係数に、前記役割における消費電力量の標準偏差を乗じ、前記役割における平均消費電力量を除した値と、を加えることにより、前記役割における消費電力量の標準偏差による影響値を算出し、
前記役割が消費電力量に与える影響を表す基礎値と、前記役割における消費電力量の標準偏差による影響値と、を加えることにより、前記第３係数を算出する、請求項２に記載の充電池管理装置。
【請求項４】
前記充電池交換管理部は、
前記複数のユーザの各々の前記予測消費電力量の最小値を特定し、
前記最小値よりも小さい前記最大充電電力量の充電池を、前記交換推奨充電池に決定する、請求項１から３までのいずれか１項に記載の充電池管理装置。
【請求項５】
前記充電池交換管理部は、
前記複数のユーザの各々の前記予測消費電力量の中央値を特定し、
前記中央値よりも小さい前記最大充電電力量の充電池を、前記交換推奨充電池に決定する、請求項１から３までのいずれか１項に記載の充電池管理装置。
【請求項６】
前記充電池交換管理部は、
前記複数のユーザを、前記予測消費電力量が小さい順に順次特定し、
前記最大充電電力量が、特定したユーザの前記予測消費電力量以上且つ最小であり、未割り当てである充電池を、利用を推奨する利用推奨充電池として、特定したユーザに割り当て、
前記予測消費電力が最小のユーザへの利用推奨充電池割り当ての際にスキップされた充電池を、前記交換推奨充電池に決定する、請求項１から３までのいずれか１項に記載の充電池管理装置。
【請求項７】
前記充電池交換管理部は、
前記複数のユーザを、前記予測消費電力量が小さい順に順次特定し、
前記最大充電電力量が、特定したユーザの前記予測消費電力量以上且つ最小であり、未割り当てである充電池を、利用を推奨する利用推奨充電池として、特定したユーザに割り当て、
前記利用推奨充電池が全てのユーザに割り当てられなかったら、前記最大充電電力量の小さい方から、前記利用推奨充電池が割り当てられなかったユーザの数と同数の充電池を、前記交換推奨充電池に決定する、請求項１から３までのいずれか１項に記載の充電池管理装置。
【請求項８】
前記充電池交換管理部は、
前記複数のユーザを、前記予測消費電力量が大きい順に順次特定し、
前記最大充電電力量が、特定したユーザの前記予測消費電力量以上且つ最大であり、未割り当てである充電池を、利用を推奨する利用推奨充電池として、特定したユーザに割り当て、
前記利用推奨充電池が全てのユーザに割り当てられなかったら、未割り当ての充電池の内で、前記最大充電電力量の小さい方から、前記利用推奨充電池が割り当てられなかったユーザの数と同数の充電池を、前記交換推奨充電池に決定する、請求項１から３までのいずれか１項に記載の充電池管理装置。
【請求項９】
前記交換推奨充電池を、充電池の管理担当者に提示する交換充電池提示部を更に備える、請求項１から８までのいずれか１項に記載の充電池管理装置。
【請求項１０】
請求項１から９までのいずれか１項に記載の充電池管理装置と、
前記充電池を充電するとともに、前記充電池識別情報、現在の充電電力量及び前記最大充電電力量を含む充電池情報を前記充電池から受信して、前記充電池管理装置に送信する充電装置と、
を備える、充電池管理システム。
【請求項１１】
複数のユーザによって利用される複数の電子機器に搭載される、充電池を管理する充電池管理方法であって、
前記複数のユーザの各々の消費電力量の予測値である予測消費電力量を算出するステップと、
前記複数のユーザの各々の前記予測消費電力量と、前記充電池の各々の最大充電電力量と、に基づいて、交換を推奨する充電池を決定するステップと、
を備える、充電池管理方法。
【請求項１２】
複数のユーザによって利用される複数の電子機器に搭載される、複数の充電池を管理する充電池管理プログラムであって、
前記複数のユーザの各々の消費電力量の予測値である予測消費電力量を算出するステップと、
前記複数のユーザの各々の前記予測消費電力量と、前記充電池の各々の最大充電電力量と、に基づいて、交換を推奨する充電池を決定するステップと、
をコンピュータに実行させる、充電池管理プログラム。
【発明の詳細な説明】
【技術分野】
【０００１】
本発明は、複数のユーザに利用される複数の電子機器に搭載される、複数の充電池を管理する充電池管理装置、方法及びプログラム、並びに、充電池管理システムに関する。
【背景技術】
【０００２】
各種の電子機器に、充電池が搭載されている。充電池は、充放電を繰り返すことにより、充電可能最大電力量が減少する劣化現象が発生する。関連する技術として、下記の特許文献１には、二次電池の再利用のためのグレード分けを行う電池情報管理システムが記載されている。
【先行技術文献】
【特許文献】
【０００３】
【特許文献１】特許第５０４４８６２号公報
【発明の概要】
【発明が解決しようとする課題】
【０００４】
複数の電子機器を、複数のユーザを含むグループで利用する場合がある。そして、各ユーザが複数の電子機器の内のどの電子機器を利用するかが、固定されていない場合がある。さらに、各ユーザは、グループ内での役割が異なる場合がある。
【０００５】
ユーザ毎の役割が異なることにより、１回の利用期間（電子機器を充電器から取り外した時から、電子機器の利用後に電子機器を充電器に戻した時までの期間）に必要とされる電力量が、ユーザ毎に異なる傾向がある。従って、複数の電子機器に夫々搭載されている複数の充電池の劣化が進行すると、多くの電力量を必要とするヘビーユーザにとって電力不足となる充電池が生じ、複数の充電池の管理が煩雑になる。
【０００６】
本発明は、複数の充電池の管理を好適に行うことができる充電池管理装置、方法及びプログラム、並びに、充電池管理システムを提供することを目的とする。
【課題を解決するための手段】
【０００７】
本発明は、複数のユーザによって利用される複数の電子機器に搭載される、充電池を管理する充電池管理装置であって、充電池の各々を一意に特定する充電池識別情報の項目と、充電池の各々の最大充電電力量の項目と、を含む充電池データを格納する充電池情報データベースと、充電池識別情報の項目と、充電池識別情報で特定される充電池の１回の利用期間の消費電力量の項目と、充電池識別情報で特定される充電池を利用したユーザを一意に特定するユーザ識別情報の項目と、を含む利用記録データを格納するユーザ利用情報データベースと、ユーザ利用情報データベースに基づいて、複数のユーザの各々の１回の利用期間での消費電力量の予測値である予測消費電力量を算出し、複数のユーザの各々の予測消費電力量と、充電池の各々の最大充電電力量と、に基づいて、交換を推奨する充電池である交換推奨充電池を決定する充電池交換管理部と、を備える充電池管理装置を提供する。
【発明の効果】
【０００８】
本発明によれば、複数の充電池の管理を好適に行うことができる充電池管理装置、方法及びプログラム、並びに、充電池管理システムが提供される。
【図面の簡単な説明】
【０００９】
【図１】実施形態に係る充電池管理システムの一例を模式的に示す図である。
【図２】実施形態に係る管理装置のハードウェア構成を示す図である。
【図３】実施形態に係る充電池管理システムの機能ブロックを示す図である。
【図４】実施形態に係る充電池管理システムのユーザ利用情報データベースに格納されるデータの例を示す図である。
【図５】実施形態に係る充電池管理システムのユーザ利用情報データベースに格納されるデータの例を示す図である。
【図６】実施形態に係る充電池管理システムのユーザ利用情報データベースに格納されるデータの例を示す図である。
【図７】実施形態に係る充電池管理システムの充電池情報データベースに格納されるデータの例を示す図である。
【図８】実施形態に係る充電池管理システムの第１動作例を示すフローチャートである。
【図９】実施形態に係る充電池管理システムの第１動作例の予測消費電力量算出サブルーチンを示すフローチャートである。
【図１０】実施形態に係る充電池管理システムで管理される消費電力量の一例を示す図である。
【図１１】実施形態に係る充電池管理システムで管理される消費電力量の一例を示す図である。
【図１２】実施形態に係る充電池管理システムで管理される消費電力量の一例を示す図である。
【図１３】実施形態に係る充電池管理システムで管理される消費電力量の一例を示す図である。
【図１４】実施形態に係る充電池管理システムの第１動作例の交換推奨充電池決定サブルーチンを示すフローチャートである。
【図１５】実施形態に係る充電池管理システムの第１動作例の具体例を説明する図である。
【図１６】実施形態に係る充電池管理システムの第１動作例の具体例を説明する図である。
【図１７】実施形態に係る充電池管理システムの第２動作例の交換推奨充電池決定サブルーチンを示すフローチャートである。
【図１８】実施形態に係る充電池管理システムの第２動作例の具体例を説明する図である。
【図１９】実施形態に係る充電池管理システムの第２動作例の具体例を説明する図である。
【図２０】実施形態に係る充電池管理システムの第３動作例の交換推奨充電池決定サブルーチンを示すフローチャートである。
【図２１】実施形態に係る充電池管理システムの第３動作例の第１具体例を説明する図である。
【図２２】実施形態に係る充電池管理システムの第３動作例の第２具体例を説明する図である。
【図２３】実施形態に係る充電池管理システムの第４動作例の交換推奨充電池決定サブルーチンを示すフローチャートである。
【図２４】実施形態に係る充電池管理システムの第４動作例の具体例を説明する図である。
【発明を実施するための形態】
【００１０】
以下、本発明に係る実施形態について図面を参照しながら説明するが、本発明はこれに限定されない。以下で説明する実施形態の構成要素は、適宜組み合わせることができる。また、一部の構成要素を用いない場合もある。
【００１１】
＜実施形態＞
（充電池管理システムの構成）
図１は、実施形態に係る充電池管理システムの一例を模式的に示す図である。充電池管理システム１は、複数の電子機器５−１、５−２、・・・、５−ｎ（ｎは、自然数）に夫々搭載されている複数の充電池の管理を行うシステムである。以降において、複数の電子機器５−１、５−２、・・・、５−ｎを電子機器５と総称する場合がある。電子機器５は、無線機、携帯電話機、スマートフォン又はタブレットが例示されるが、本開示はこれらに限定されない。
【００１２】
充電池管理システム１は、充電装置２と、管理装置３と、を含む。充電装置２と管理装置３とは、通信路４を介して通信可能である。通信路４は、有線ＬＡＮ（Local  Area  Network）、無線ＬＡＮ、インターネット又はＵＳＢ（Universal  Serial  Bus）が例示されるが、本開示はこれらに限定されない。
【００１３】
充電装置２は、複数の電子機器５−１、５−２、・・・、５−ｎが夫々載置される複数の載置部１１−１、１１−２、・・・、１１−ｎを備える。以降において、複数の載置部１１−１、１１−２、・・・、１１−ｎを載置部１１と総称する場合がある。
【００１４】
電子機器５が載置部１１に載置されると、電子機器５に搭載されている充電池が充電される。なお、充電池の充電は、充電端子を使用する接触式充電であっても良いし、充電端子を使用しない非接触式充電であっても良い。非接触式充電は、Ｑｉ（チー）が例示される。
【００１５】
充電装置２は、電子機器５を利用するユーザのユーザＩＤ（識別情報）を取得するユーザＩＤ取得部２１を備える。ユーザＩＤ取得部２１は、ＲＦＩＤ（Radio  Frequency  Identifier）リーダ、磁気リーダ、ＱＲコード（登録商標）リーダ又はタッチパネルが例示されるが、本開示はこれらに限定されない。
【００１６】
ユーザは、電子機器５を載置部１１から取り上げる前に、自身のユーザＩＤをユーザＩＤ取得部２１に入力する。また、実施形態では、ユーザＩＤ取得部２１及び複数の載置部１１−１、１１−２、・・・、１１−ｎを一体としたが、本開示はこれに限定されない。ユーザＩＤ取得部２１及び複数の載置部１１−１、１１−２、・・・、１１−ｎの内の１つ又は複数は、別体であっても良い。
【００１７】
充電装置２の複数の載置部１１−１、１１−２、・・・、１１−ｎの近傍には、複数の表示器１２−１、１２−２、・・・、１２−ｎが、夫々配置されている。以降において、複数の表示器１２−１、１２−２、・・・、１２−ｎを表示器１２と総称する場合がある。表示器１２は、発光ダイオード、液晶表示パネル又は有機ＥＬ（Electro  Luminescence）パネルが例示されるが、本開示はこれらに限定されない。また、表示器１２は、複数個ではなく、１個の液晶表示パネル又は有機ＥＬパネルであっても良い。
【００１８】
ユーザが自身のユーザＩＤをユーザＩＤ取得部２１に入力し、ユーザＩＤ取得部２１がユーザＩＤを取得したら、１つ又は複数の表示器１２が、ユーザに利用することが推奨される充電池を搭載している１つ又は複数の電子機器５をユーザに提示する。具体的には、ユーザに利用することが推奨される充電池を搭載している１つ又は複数の電子機器５が配置されている１つ又は複数の載置部１１の近傍の１つ又は複数の表示器１２が、ユーザに利用することが推奨される充電池を搭載している１つ又は複数の電子機器５をユーザに提示する。ユーザは、表示器１２によって提示された１つ又は複数の電子機器５の内の１つを取り上げて利用すると好適である。
【００１９】
例えば、「甲さん」というユーザが自身のユーザＩＤをユーザＩＤ取得部２１に入力し、電子機器５−１及び５−２が「甲さん」というユーザに利用することが推奨される充電池を搭載している場合を想定する。この場合、表示器１２−１及び１２−２が発光して、電子機器５−１及び５−２の利用が推奨されることを「甲さん」というユーザに提示する。「甲さん」というユーザは、表示器１２−１及び１２−２によって推奨が提示された電子機器５−１及び５−２の内の１つを取り上げて利用する。
【００２０】
図２は、実施形態に係る管理装置のハードウェア構成を示す図である。管理装置３は、コンピュータを利用して実現可能である。コンピュータは、ＣＰＵ（Central  Processing  Unit）５１と、ＲＡＭ（Random  Access  Memory）５２と、ＲＯＭ（Read  Only  Memory）５３と、記憶部５４と、入力部５５と、表示部５６と、通信インタフェース（Ｉ／Ｆ）５７と、を含む。ＣＰＵ５１、ＲＡＭ５２、ＲＯＭ５３、記憶部５４、入力部５５、表示部５６及び通信インタフェース５７は、バスＢを介して接続されている。
【００２１】
ＣＰＵ５１は、ＲＡＭ５２を作業領域として使用しながら、ＲＯＭ５３及び記憶部５４に記憶されているプログラムを実行する。ＲＯＭ５３に記憶されているプログラムは、ＢＩＯＳ（Basic  Input／Output  System）又はＵＥＦＩ（Unified  Extensible  Firmware  Interface）が例示される。記憶部５４に記憶されているプログラムは、オペレーティングシステムプログラム及び充電池管理プログラムが例示される。記憶部５４は、ＳＳＤ（Solid  State  Drive）又はＨＤＤ（Hard  Disk  Drive）が例示される。
【００２２】
入力部５５は、ユーザからの操作入力を受け付ける受信装置である。入力部５５は、キーボード又はマウスが例示される。表示部５６は、文字及び画像を表示する出力装置である。表示部５６は、ディスプレイであり、液晶表示装置が例示される。なお、表示部５６は、入力部５５を兼ねるタッチパネルディスプレイでも良い。通信インタフェース５７は、通信路４を介して、充電装置２と通信を行う。
【００２３】
図３は、実施形態に係る充電池管理システムの機能ブロックを示す図である。充電装置２は、ユーザＩＤ取得部２１と、充電部２２と、充電池情報取得部２３と、充電制御部２４と、を備える。管理装置３は、情報管理部３１と、交換管理部４１と、を備える。情報管理部３１は、ユーザ利用情報データベース（ＤＢ）３２と、充電池情報データベース（ＤＢ）３３と、充電池情報管理制御部３４と、を備える。交換管理部４１は、充電池交換管理部４２と、交換充電池提示部４３と、を備える。
【００２４】
ＣＰＵ５１が記憶部５４に記憶されたプログラムを実行することにより、充電池情報管理制御部３４、充電池交換管理部４２及び交換充電池提示部４３が実現される。ユーザ利用情報ＤＢ３２及び充電池情報ＤＢ３３は、記憶部５４に記憶される。
【００２５】
電子機器５−１、５−２、・・・、５−ｎは、充電池６−１、６−２、・・・、６−ｎを夫々搭載している。充電池６−１、６−２、・・・、６−ｎは、充電池情報提示部７−１、７−２、・・・、７−ｎを夫々備える。以降において、充電池６−１、６−２、・・・、６−ｎを充電池６と総称する場合がある。また、以降において、充電池情報提示部７−１、７−２、・・・、７−ｎを充電池情報提示部７と総称する場合がある。充電池６は、充放電を複数回行うことが可能な電池であり、ニッケル水素充電池、リチウムイオン充電池又はリチウムポリマー充電池が例示されるが、本開示はこれらに限定されない。
【００２６】
充電池６は、図示しない充電池コントローラを内蔵している。充電池コントローラは、フラッシュメモリで例示される不揮発性記憶媒体を備える。不揮発性記憶媒体に記憶される情報は、充電池ＩＤ、現在の充電電力量及び最大充電電力量が例示されるが、本開示はこれらに限定されない。
【００２７】
充電池ＩＤ（識別情報）は、充電池６を一意に特定可能な情報である。最大充電電力量は、充電池６が充電可能な充電電力量の上限であり、充電池６の劣化と共に減少する。現在の充電電力量は、最大充電電力量に対する比（例えば、１０％、９０％等）で表されても良い。以降において、不揮発性記憶媒体に記憶される情報を充電池情報と総称する場合がある。充電池情報提示部７は、不揮発性記憶媒体に記憶されている充電池情報を、充電池情報取得部２３に送信する。
【００２８】
充電部２２は、電子機器５に搭載されている充電池６に電力を供給して、充電池６を充電する。充電制御部２４は、充電部２２を制御して、充電部２２から充電池６への電力供給を管理する。
【００２９】
充電池情報取得部２３は、充電池情報を充電池６から取得して充電制御部２４に送る。充電制御部２４は、ユーザＩＤ取得部２１に入力されたユーザＩＤと、ユーザが載置部１１から取り上げて利用を開始した電子機器５に搭載されている充電池６の充電池情報と、を、充電池情報管理制御部３４に送信する。
【００３０】
充電制御部２４は、ユーザが利用を終了して載置部１１に載置した電子機器５に搭載されている充電池６の充電池情報を、充電池情報管理制御部３４に送信する。なお、この際、充電制御部２４は、充電池情報に加えて、利用が終了した電子機器５を充電装置２に載置したユーザのユーザＩＤをも、充電池情報管理制御部３４に送信しても良い。
【００３１】
充電池情報管理制御部３４は、充電制御部２４から受信したユーザＩＤ及び充電池情報に基づいて、充電池６の利用に関する情報をユーザ利用情報ＤＢ３２に記録するとともに、充電池６に関する情報を充電池情報ＤＢ３３に記録する。
【００３２】
充電池交換管理部４２は、ユーザ利用情報ＤＢ３２に記録されている情報に基づいて、複数のユーザの各々の１回の利用期間での消費電力量の予測値である予測消費電力量を算出する。そして、充電池交換管理部４２は、複数のユーザの各々の予測消費電力量と、複数の充電池６の各々の最大充電電力量と、に基づいて、交換を推奨する充電池を決定する。１回の利用期間は、ユーザが電子機器５を載置部１１から取り上げた時から、電子機器５の利用後に電子機器５を載置部１１に載置した時までの期間が例示されるが、本開示はこれに限定されない。
【００３３】
交換充電池提示部４３は、交換が推奨される充電池６を、充電池６の管理担当者（備品管理者）に提示する。具体的には、交換充電池提示部４３は、交換が推奨される充電池６を特定する情報を、表示部５６に表示する。充電池６の管理担当者は、交換充電池提示部４３によって提示された情報に基づいて、交換が推奨される充電池６を、別の充電池６と交換する。別の充電池６は、新品であっても良いし、リサイクル済みの物であっても良い。
【００３４】
（実施形態の運用例）
実施形態に係る充電池管理システム１の運用例について説明する。ここでは、充電池管理システム１が消防署で運用される場合について説明するが、本開示はこれに限定されない。充電池管理システム１は、警察署、企業、その他の団体で運用されることが可能である。充電池管理システム１が消防署で運用される場合は、電子機器５は、携帯型の無線機、いわゆるトランシーバが例示される。この場合、どのユーザが複数の電子機器の内のどの電子機器を利用するかが固定されておらず、各ユーザが複数の電子機器の内のどの電子機器でも利用できる。
【００３５】
消防署では、次のような運用が想定される。火災発生に応じて出動指令が発令されたら、複数のユーザ（消防官）の各々は、電子機器５（無線機）を載置部１１から取り上げて出動する。複数のユーザ（消防官）の各々は、任務が終了したら、消防署に帰署して、電子機器５（無線機）を載置部１１に載置する。以下、消防署での運用の工程について説明する。本運用例では、ユーザとして消防官を例に説明し、以降は、ユーザを単に消防官と称して説明を進める。
【００３６】
［第１の工程］
火災発生に応じて出動指令が発令されたら、消防官は、電子機器５（無線機）を載置部１１から取り上げる前に、ユーザＩＤをユーザＩＤ取得部２１に入力する。例えば、消防官が、ＲＦＩＤタグが内蔵されているＩＤカードを、ユーザＩＤ取得部２１にかざすことが例示される。その後、消防官は、電子機器５（無線機）を載置部１１から取り上げて出動する。
【００３７】
充電制御部２４は、電子機器５（無線機）を取り上げた消防官のユーザＩＤである利用者ユーザＩＤ、取り上げられた電子機器５（無線機）に搭載されている充電池６の充電池ＩＤである利用充電池ＩＤ、電子機器５（無線機）が取り上げられた日時である利用開始日時、及び、電子機器５（無線機）が取り上げられて利用が開始された時点での充電池６の充電電力量である利用開始時充電電力量を、充電池情報管理制御部３４に送信する。
【００３８】
充電池情報管理制御部３４は、ユーザＩＤ情報及び充電池情報を充電制御部２４から受信し、受信した情報をユーザ利用情報ＤＢ３２及び充電池情報ＤＢ３３に記録する。
【００３９】
図４から図６までは、実施形態に係る充電池管理システムのユーザ利用情報データベースに格納されるデータの例を示す図である。図７は、実施形態に係る充電池管理システムの充電池情報データベースに格納されるデータの例を示す図である。
【００４０】
図４は、ユーザ利用情報ＤＢ３２に格納される複数のユーザデータ６１−１、６１−２、・・・、６１−ｉ（ｉは、自然数）を示す図である。以降において、複数のユーザデータ６１−１、６１−２、・・・、６１−ｉをユーザデータ６１と総称する場合がある。ユーザデータ６１は、グループに所属する消防官毎に作成される。従って、ユーザデータ６１の個数ｉは、グループに所属する消防官の人数と同数である。
【００４１】
ユーザデータ６１は、ユーザＩＤの項目と、氏名の項目と、年齢の項目と、役職の項目と、を含む。役職は、消防士、消防副士長、消防士長等の階級が例示されるが、本開示はこれらに限定されない。
【００４２】
実施形態では、ユーザデータ６１がユーザ利用情報ＤＢ３２に格納されていることとしたが、本開示はこれに限定されない。ユーザデータ６１は、消防署のサーバの人事データベースに格納されていても良い。
【００４３】
図５は、ユーザ利用情報ＤＢ３２に格納される複数のインシデントデータ７１−１、７１−２、・・・、７１−ｊ（ｊは、自然数）を示す図である。以降において、複数のインシデントデータ７１−１、７１−２、・・・、７１−ｊをインシデントデータ７１と総称する場合がある。インシデントデータ７１は、インシデント毎に作成される。従って、インシデントデータ７１の個数ｊは、インシデントの発生回数と同数である。インシデントは、一般に事件や出来事の総称を意味するものであり、実施形態では火災が例示されるが、本開示はこれに限定されない。
【００４４】
インシデントデータ７１は、インシデントを一意に特定する識別情報であるインシデントＩＤの項目と、インシデントのタイプを表すインシデントタイプの項目と、インシデントの発生場所の項目と、インシデントの発生日時の項目と、を含む。インシデントタイプは、家屋火災、工場火災、森林火災又は商業施設火災が例示されるが、本開示はこれらに限定されない。インシデントデータ７１は、消防本部の通信司令室のサーバから管理装置３に送信されても良いし、管理装置３に入力されても良い。
【００４５】
実施形態では、インシデントデータ７１がユーザ利用情報ＤＢ３２に格納されていることとしたが、本開示はこれに限定されない。インシデントデータ７１は、消防署のサーバのインシデントデータベースに格納されていても良い。そして、管理装置３は、消防署のサーバのインシデントデータベースを参照するようにしても良い。
【００４６】
図６は、ユーザ利用情報ＤＢ３２に格納される複数の利用記録データ８１−１、８１−２、・・・、８１−ｋ（ｋは、自然数）を示す図である。以降において、複数の利用記録データ８１−１、８１−２、・・・、８１−ｋを利用記録データ８１と総称する場合がある。利用記録データ８１は、電子機器５（無線機）の利用毎に作成される。従って、利用記録データ８１の個数ｋは、電子機器５（無線機）の延べ利用回数と同数である。
【００４７】
利用記録データ８１は、消防官が電子機器５（無線機）を載置部１１から取り上げて利用を開始した時点での充電池６の充電電力量である利用開始時充電電力量の項目を含む。利用開始時充電電力量は、消防官が電子機器５（無線機）を載置部１１から取り上げて利用を開始した時点で、充電池情報管理制御部３４によって記録される。
【００４８】
利用記録データ８１は、消防官が電子機器５（無線機）の利用を終了して電子機器５（無線機）を載置部１１に載置した時点での充電池６の充電電力量である利用終了時充電電力量の項目を含む。利用終了時充電電力量は、消防官が電子機器５（無線機）を載置部１１から取り上げて利用を開始した時点では空欄であり、消防官が電子機器５（無線機）の利用を終了して電子機器５（無線機）を載置部１１に載置した時点で、充電池情報管理制御部３４によって記録される。
【００４９】
利用記録データ８１は、利用開始時充電電力量から利用終了時充電電力量を差し引いた消費電力量の項目を含む。消費電力量は、消防官が電子機器５（無線機）を載置部１１から取り上げて利用を開始した時点では空欄であり、消防官が電子機器５（無線機）の利用を終了して電子機器５（無線機）を載置部１１に載置した時点で、充電池情報管理制御部３４によって計算されて記録される。
【００５０】
利用記録データ８１は、消防官が電子機器５（無線機）を載置部１１から取り上げて利用を開始した日時である利用開始日時の項目を含む。利用開始日時は、消防官が電子機器５（無線機）を載置部１１から取り上げて利用を開始した時点で、充電池情報管理制御部３４によって記録される。
【００５１】
利用記録データ８１は、消防官が電子機器５（無線機）の利用を終了して電子機器５（無線機）を載置部１１に載置した日時である利用終了日時の項目を含む。利用終了日時は、消防官が電子機器５（無線機）を載置部１１から取り上げて利用を開始した時点では空欄であり、消防官が電子機器５（無線機）の利用を終了して電子機器５（無線機）を載置部１１に載置した時点で、充電池情報管理制御部３４によって記録される。
【００５２】
利用記録データ８１は、電子機器５（無線機）を載置部１１から取り上げた消防官のユーザＩＤである利用者ユーザＩＤの項目を含む。利用者ユーザＩＤは、消防官が電子機器５（無線機）を載置部１１から取り上げて利用を開始した時点で、充電池情報管理制御部３４によって記録される。
【００５３】
利用記録データ８１は、電子機器５（無線機）を載置部１１から取り上げた消防官の役割である利用時役割の項目を含む。利用時役割は、機関作業員、指令者、救護作業員又は消火作業員が例示されるが、本開示はこれらに限定されない。利用時役割は、消防本部の通信司令室のサーバから管理装置３に送信されても良いし、管理装置３に入力されても良い。
【００５４】
利用記録データ８１は、電子機器５（無線機）を載置部１１から取り上げた消防官が出動したインシデントのインシデントＩＤである出動インシデントＩＤの項目を含む。出動インシデントＩＤは、消防官が電子機器５（無線機）を載置部１１から取り上げて利用を開始した時点で、充電池情報管理制御部３４によってインシデントデータ７１が参照されて記録される。
【００５５】
利用記録データ８１は、載置部１１から取り上げられた電子機器５（無線機）に搭載されている充電池６の充電池ＩＤである利用充電池ＩＤの項目を含む。利用充電池ＩＤは、消防官が電子機器５（無線機）を載置部１１から取り上げて利用を開始した時点で、充電池情報管理制御部３４によって記録される。
【００５６】
図７は、充電池情報ＤＢ３３に格納される複数の充電池データ９１−１、９１−２、・・・、９１−ｌ（ｌは、自然数）を示す図である。以降において、複数の充電池データ９１−１、９１−２、・・・、９１−ｌを充電池データ９１と総称する場合がある。充電池データ９１は、充電池６毎に作成される。従って、充電池データ９１の個数ｌは、充電池６の個数と同数である。
【００５７】
充電池データ９１は、充電池ＩＤの項目と、充電池６が充電可能な充電量の上限である最大充電電力量の項目と、を含む。最大充電電力量は、消防官が電子機器５（無線機）の利用を終了して電子機器５（無線機）を載置部１１に載置した時点で、充電池情報管理制御部３４によって更新記録される。
【００５８】
［第２の工程］
消防官は、消火活動が終了して消防署に帰署したら、電子機器５（無線機）を載置部１１に載置する。
【００５９】
充電制御部２４は、載置部１１に載置された電子機器５（無線機）に搭載されている充電池６の充電池ＩＤ、及び、消防官が電子機器５（無線機）の利用を終了して電子機器５（無線機）を載置部１１に載置した日時である利用終了日時を、充電池情報管理制御部３４に送信する。また、充電制御部２４は、電子機器５（無線機）が載置部１１に載置された時点での充電池６の充電電力量である利用終了時充電電力量、及び、載置された電子機器５（無線機）に搭載されている充電池６が充電可能な充電量の上限である最大充電電力量を、充電池情報管理制御部３４に送信する。
【００６０】
充電池情報管理制御部３４は、充電制御部２４から受信した充電池ＩＤをキーとして、利用終了時電力量の項目、利用終了日時の項目及び消費電力量の項目が空欄である利用記録データ８１を検索することで、利用記録データ８１を一意に特定する。そして、充電池情報管理制御部３４は、充電制御部２４から受信した利用終了日時を、一意に特定した利用記録データ８１の利用終了日時の項目に記録する。また、充電池情報管理制御部３４は、充電制御部２４から受信した利用終了時充電電力量を、一意に特定した利用記録データ８１の利用終了時充電電力量の項目に記録する。
【００６１】
充電池情報管理制御部３４は、利用開始時充電電力量から利用終了時充電電力量を差し引くことで、消費電力量を計算する。そして、充電池情報管理制御部３４は、計算した消費電力量を、一意に特定した利用記録データ８１の消費電力量の項目に記録する。
【００６２】
充電池情報管理制御部３４は、充電制御部２４から受信した充電池ＩＤをキーとして充電池データ９１を検索することで、充電池データ９１を一意に特定する。そして、充電池情報管理制御部３４は、充電制御部２４から受信した最大充電電力量を、一意に特定した充電池データ９１の最大充電電力量の項目に記録する。
【００６３】
（実施形態の動作例）
充電池交換管理部４２は、定められたタイミングで、以下の第１動作例から第４動作例までの何れかの動作例で示される動作を実行する。定められたタイミングは、運用上定められるタイミングであり、毎日、毎週又は毎月で例示される定期的なタイミングであっても良いし、充電池の管理者の操作が行われたタイミング又は他のシステムからリクエストされたタイミングであっても良いが、本開示はこれらに限定されない。
【００６４】
［実施形態の第１動作例］
図８は、実施形態に係る充電池管理システムの第１動作例を示すフローチャートである。
【００６５】
充電池交換管理部４２は、ステップＳ１００において、全ての充電池６の各々の最大充電電力量を、充電池情報ＤＢ３３内の充電池データ９１から読み出す。
【００６６】
充電池交換管理部４２は、ステップＳ１０２において、全てのユーザの各々の１回の利用期間での予測消費電力量を算出する予測消費電力量算出サブルーチンを実行する。
【００６７】
図９は、実施形態に係る充電池管理システムの第１動作例の予測消費電力量算出サブルーチンを示すフローチャートである。図９を参照すると、充電池交換管理部４２は、ステップＳ２００において、インシデントタイプに基づく第１係数を算出する。インシデントタイプに基づく第１係数は、インシデントタイプが消費電力量に与える影響を表す値である。インシデントタイプに基づく第１係数は、過去に発生したインシデントをインシデントタイプで分類し、インシデントタイプの各々における、出動した消防官の消費電力量に基づいて算出される。
【００６８】
充電池交換管理部４２は、過去に発生した全てのインシデントにおける平均消費電力量を算出する。充電池交換管理部４２は、全ての利用記録データ８１の消費電力量を平均することで、過去に発生した全てのインシデントにおける平均消費電力量を算出できる。
【００６９】
図１０は、実施形態に係る充電池管理システムで管理される消費電力量の一例を示す図である。図１０において、横軸方向は、過去に発生した全てのインシデントにおける消防官の消費電力量を表し、縦軸方向は、度数を表す。線１０１は、過去に発生した全てのインシデントにおける消防官の消費電力量の度数を結んだ線である。線１０２は、過去に発生した全てのインシデントにおける平均消費電力量を表す線である。線１０３は、過去に発生した全てのインシデントにおける消費電力量の標準偏差を表す線である。
【００７０】
また、充電池交換管理部４２は、インシデントタイプの各々における、平均消費電力量と、標準偏差と、を算出する。利用記録データ８１は、出動インシデントＩＤの項目を有しており、インシデントデータ７１は、インシデントＩＤの項目と、インシデントタイプの項目と、を有している。従って、充電池交換管理部４２は、利用記録データ８１を出動インシデントＩＤの項目で分類することにより、利用記録データ８１をインシデントタイプの各々毎に分類することができる。これにより、充電池交換管理部４２は、インシデントタイプの各々における、平均消費電力量と、標準偏差と、を算出できる。
【００７１】
図１１は、実施形態に係る充電池管理システムで管理される消費電力量の一例を示す図である。図１１において、横軸方向は、インシデントタイプ毎における消防官の消費電力量を表し、縦軸方向は、度数を表す。線１１１は、家屋火災というインシデントタイプにおける消防官の消費電力量の度数を結んだ線である。線１１２は、工場火災というインシデントタイプにおける消防官の消費電力量の度数を結んだ線である。線１１３は、森林火災というインシデントタイプにおける消防官の消費電力量の度数を結んだ線である。線１１４は、商業施設火災というインシデントタイプにおける消防官の消費電力量の度数を結んだ線である。
【００７２】
例えば、過去に発生した全てのインシデントタイプにおける平均消費電力量が２００ｍＡｈであり、商業施設火災というインシデントタイプにおける平均消費電力量が３００ｍＡｈであるとする。この場合には、充電池交換管理部４２は、商業施設火災というインシデントタイプが消費電力量に与える影響を表す基礎値を、
（商業施設火災というインシデントタイプが消費電力量に与える影響を表す基礎値）
＝（商業施設火災というインシデントタイプにおける平均消費電力量）／（過去に発生した全てのインシデントタイプにおける平均消費電力量）
＝３００／２００
＝１．５
と、算出する。
【００７３】
なお、ミリアンペア時（ｍＡｈ）は、電荷量の単位であって、電力量の単位ではない。しかしながら、充電池の分野では、充電量をミリアンペア時（ｍＡｈ）で表すことが一般に行われている。充電池の出力電圧は、厳密には一定ではないものの、概ね一定であると考えれば、ミリアンペア時（ｍＡｈ）の値と電力量の値とは正比例する。従って、ミリアンペア時（ｍＡｈ）の値を、電力量を指し示す値として使用できる。
【００７４】
また、充電池交換管理部４２は、インシデントタイプにおける、消費電力量の標準偏差による影響を考慮する。実施形態では、インシデントタイプにおける、消費電力量の標準偏差による影響を考慮するに当たり、安全係数が設定される。安全係数は、予測消費電力量を算出する際に、どの程度の余裕（マージン）を持たせるかを表す値であり、運用者によって設定される固定値である。安全係数は、２．０が例示されるが、本開示はこれに限定されない。
【００７５】
商業施設火災というインシデントタイプにおける、消費電力量の標準偏差が３００ｍＡｈであるとする。先に、商業施設火災というインシデントタイプにおける平均消費電力量は、３００ｍＡｈであるとした。商業施設火災というインシデントタイプにおける、消費電力量の標準偏差の、商業施設火災というインシデントタイプにおける平均消費電力量に対する比は、１．０となる。従って、充電池交換管理部４２は、商業施設火災というインシデントタイプにおける、消費電力量の標準偏差による影響値を、
（商業施設火災というインシデントタイプにおける、消費電力量の標準偏差による影響値）
＝（商業施設火災というインシデントタイプにおける、消費電力量の標準偏差の、商業施設火災というインシデントタイプにおける平均消費電力量に対する比）＋（安全係数）×（商業施設火災というインシデントタイプにおける、消費電力量の標準偏差）／（商業施設火災というインシデントタイプにおける平均消費電力量）
＝１．０＋２．０×３００／３００
＝１．０＋２．０
＝３．０
と、算出する。
【００７６】
これにより、充電池交換管理部４２は、商業施設火災というインシデントタイプに基づく第１係数を、
（商業施設火災というインシデントタイプに基づく第１係数）
＝（商業施設火災というインシデントタイプが平均消費電力量に与える影響を表す基礎値）×（商業施設火災というインシデントタイプにおける、標準偏差による影響値）
＝１．５×３．０
＝４．５
と、算出する。
【００７７】
充電池交換管理部４２は、家屋火災、工場火災及び森林火災というインシデントタイプの各々についても、商業施設火災というインシデントタイプと同様に第１係数を算出し、算出された複数の第１係数の中の最大値を採用しても良い。あるいは、充電池交換管理部４２は、家屋火災、工場火災、森林火災及び商業施設火災の内の管理者によって指定されたインシデントタイプに基づく第１係数を採用しても良い。
【００７８】
再び図９を参照すると、充電池交換管理部４２は、ステップＳ２０２において、インシデントの発生場所に基づく第２係数を算出する。インシデントの発生場所に基づく第２係数は、インシデントの発生場所が消費電力量に与える影響を表す値である。インシデントの発生場所に基づく第２係数は、過去に発生したインシデントを発生場所で分類し、インシデントの発生場所の各々における、出動した消防官の消費電力量の総和に基づいて算出される。
【００７９】
実施形態では、充電池交換管理部４２は、インシデントの発生場所を、人口密度で分類する。具体的には、充電池交換管理部４２は、インシデントの発生場所を、人口密度の高い順に、都心部、都市部、郊外及びその他の場所の４つに分類する。なお、充電池交換管理部４２は、人口密度の特定の複数の値を複数の境界値とし、複数の境界値でインシデントの発生場所を分類しても良い。
【００８０】
充電池交換管理部４２は、インシデントの発生場所の各々における、平均消費電力量と、標準偏差と、を算出する。利用記録データ８１は、出動インシデントＩＤの項目を有しており、インシデントデータ７１は、インシデントＩＤの項目と、インシデントの発生場所の項目と、を有している。従って、充電池交換管理部４２は、利用記録データ８１を、出動インシデントＩＤの項目で分類することにより、利用記録データ８１をインシデントの発生場所の各々毎に分類することができる。これにより、充電池交換管理部４２は、インシデントの発生場所の各々における、平均消費電力量と、標準偏差と、を算出できる。
【００８１】
図１２は、実施形態に係る充電池管理システムで管理される消費電力量の一例を示す図である。図１２において、横軸方向は、インシデントの発生場所毎における消防官の消費電力量の総和を表し、縦軸方向は、度数を表す。線１２１は、都市部という、インシデントの発生場所における消防官の消費電力量の度数を結んだ線である。線１２２は、都心部という、インシデントの発生場所における消防官の消費電力量の度数を結んだ線である。線１２３は、郊外という、インシデントの発生場所における消防官の消費電力量の度数を結んだ線である。線１２４は、その他の場所という、インシデントの発生場所における消防官の消費電力量の度数を結んだ線である。
【００８２】
充電池交換管理部４２は、インシデントの発生場所に基づく第２係数を、インシデントタイプに基づく第１係数と同様に算出する。例えば、充電池交換管理部４２は、都心部という、インシデントの発生場所が消費電力量に与える影響を表す基礎値を、
（都心部という、インシデントの発生場所が消費電力量に与える影響を表す基礎値）
＝（都心部という、インシデントの発生場所における平均消費電力量）／（過去に発生した全てのインシデントの発生場所における平均消費電力量）
と、算出する。
【００８３】
また、充電池交換管理部４２は、都心部という、インシデントの発生場所における、消費電力量の標準偏差による影響値を、
（都心部という、インシデントの発生場所における、消費電力量の標準偏差による影響値）
＝（都心部という、インシデントの発生場所における、消費電力量の標準偏差の、都心部という、インシデントの発生場所における平均消費電力量に対する比）＋（安全係数）×（都心部という、インシデントの発生場所における、消費電力量の標準偏差）／（都心部という、インシデントの発生場所における平均消費電力量）
と、算出する。
【００８４】
これにより、充電池交換管理部４２は、都心部という、インシデントの発生場所に基づく第２係数を、
（都心部という、インシデントの発生場所に基づく第２係数）
＝（都心部という、インシデントの発生場所が平均消費電力量に与える影響を表す基礎値）×（都心部という、インシデントの発生場所における、標準偏差による影響値）
と、算出する。
【００８５】
充電池交換管理部４２は、都市部、郊外及びその他の場所という、インシデントの発生場所の各々についても、都心部という、インシデントの発生場所と同様に第２係数を算出し、算出された複数の第２係数の中の最大値を採用しても良い。あるいは、充電池交換管理部４２は、都心部、都市部、郊外及びその他の場所の内の管理者によって指定されたインシデントの発生場所に基づく第２係数を採用しても良い。
【００８６】
再び図９を参照すると、充電池交換管理部４２は、ステップＳ２０４において、消防官の役割に基づく第３係数を算出する。消防官の役割に基づく第３係数は、消防官の役割が消費電力量に与える影響を表す値である。消防官の役割に基づく第３係数は、過去に発生したインシデントでの消防官の役割の各々における、出動した消防官の消費電力量に基づいて算出される。
【００８７】
実施形態では、充電池交換管理部４２は、消防官の役割を、機関作業員、指令者、救護作業員及び消火作業員で分類する。なお、これらの役割は例示であって、本開示はこれらに限定されない。
【００８８】
充電池交換管理部４２は、消防官の役割の各々における、平均消費電力量と、標準偏差と、を算出する。利用記録データ８１は、利用時役割の項目を有している。従って、充電池交換管理部４２は、利用記録データ８１を、利用時役割の項目で分類することにより、利用記録データ８１を消防官の役割の各々毎に分類することができる。これにより、充電池交換管理部４２は、消防官の役割の各々における、平均消費電力量と、標準偏差と、を算出できる。
【００８９】
図１３は、実施形態に係る充電池管理システムで管理される消費電力量の一例を示す図である。図１３において、横軸方向は、消防官の役割毎における消防官の消費電力量を表し、縦軸方向は、度数を表す。線１３１は、機関作業員という、消防官の役割における消防官の消費電力量の度数を結んだ線である。線１３２は、指令者という、消防官の役割における消防官の消費電力量の度数を結んだ線である。線１３３は、救護作業員という、消防官の役割における消防官の消費電力量の度数を結んだ線である。線１３４は、消火作業員という、消防官の役割における消防官の消費電力量の度数を結んだ線である。
【００９０】
充電池交換管理部４２は、消防官の役割に基づく第３係数を、インシデントタイプに基づく第１係数、及び、インシデントの発生場所に基づく第２係数と同様に算出する。例えば、充電池交換管理部４２は、機関作業員という、消防官の役割が消費電力量に与える影響を表す基礎値を、
（機関作業員という、消防官の役割が消費電力量に与える影響を表す基礎値）
＝（機関作業員という、消防官の役割における平均消費電力量）／（全ての役割における平均消費電力量）
と、算出する。
【００９１】
また、充電池交換管理部４２は、機関作業員という、消防官の役割における、消費電力量の標準偏差による影響値を、
（機関作業員という、消防官の役割における、消費電力量の標準偏差による影響値）
＝（機関作業員という、消防官の役割における、消費電力量の標準偏差の、機関作業員という、消防官の役割における平均消費電力量に対する比）＋（安全係数）×（機関作業員という、消防官の役割における、消費電力量の標準偏差）／（機関作業員という、消防官の役割における平均消費電力量）
と、算出する。
【００９２】
これにより、充電池交換管理部４２は、機関作業員という、ユーザ（消防官）の役割に基づく第３係数を、
（機関作業員という、消防官の役割に基づく第３係数）
＝（機関作業員という、消防官の役割が平均消費電力量に与える影響を表す基礎値）×（機関作業員という、消防官の役割における、標準偏差による影響値）
と、算出する。
【００９３】
充電池交換管理部４２は、指令者、救護作業員及び消火作業員という、消防官の役割の各々についても、機関作業員という、消防官の役割と同様に第３係数を算出し、算出された複数の第３係数の中の最大値を採用しても良い。あるいは、充電池交換管理部４２は、機関作業員、指令者、救護作業員及び消火作業員の内の管理者によって指定された消防官の役割に基づく第３係数を採用しても良い。
【００９４】
再び図９を参照すると、充電池交換管理部４２は、ステップＳ２０６において、複数の消防官の各々の１回の利用期間での平均消費電力量を算出する。利用記録データ８１は、利用者ユーザＩＤの項目と、消費電力量の項目と、を有している。従って、充電池交換管理部４２は、利用記録データ８１を利用者ユーザＩＤの項目で分類することにより、利用記録データ８１を複数の消防官の各々毎に分類することができる。これにより、充電池交換管理部４２は、複数の消防官の各々の１回の利用期間での平均消費電力量を算出できる。
【００９５】
充電池交換管理部４２は、ステップＳ２０８において、複数の消防官の各々の平均消費電力量に、第１係数、第２係数及び第３係数を乗じることにより、複数の消防官の各々の予測消費電力量を算出する。
【００９６】
なお、充電池交換管理部４２は、（各消防官の最大消費電力量）×（安全係数（例えば、１．５））、又は、（各消防官の平均消費電力量）×（安全係数（例えば、２．０））のように、各消防官の過去の消費電力量に安全マージンを加味して、各消防官の予測消費電力量を算出しても良い。また、充電池交換管理部４２は、各消防官のシフトなどの要因、天候又は気温を加味して、各消防官の予測消費電力量を算出しても良い。
【００９７】
再び図８を参照すると、充電池交換管理部４２は、ステップＳ１０４において、交換を推奨する充電池を決定する交換推奨充電池決定サブルーチンを実行する。
【００９８】
図１４は、実施形態に係る充電池管理システムの第１動作例の交換推奨充電池決定サブルーチンを示すフローチャートである。図１４を参照すると、充電池交換管理部４２は、ステップＳ３００において、複数の消防官の予測消費電力量の最小値を特定する。
【００９９】
充電池交換管理部４２は、ステップＳ３０２において、予測消費電力量の最小値よりも小さい最大充電電力量の充電池があるか否かを判定する。充電池交換管理部４２は、予測消費電力量の最小値よりも小さい最大充電電力量の充電池があると判定したら（ステップＳ３０２でＹｅｓ）、処理をステップＳ３０４に進める。充電池交換管理部４２は、予測消費電力量の最小値よりも小さい最大充電電力量の充電池がないと判定したら（ステップＳ３０２でＮｏ）、処理を終了する。
【０１００】
充電池交換管理部４２は、ステップＳ３０４において、予測消費電力量の最小値よりも小さい最大充電電力量に該当する充電池を、交換推奨充電池に決定する。
【０１０１】
交換充電池提示部４３は、ステップＳ３０６において、交換推奨充電池を充電池の管理者に提示する。交換充電池提示部４３は、交換推奨充電池を表示部５６に表示しても良い。また、交換充電池提示部４３は、交換推奨充電池を、充電池の管理者宛ての電子メールで提示しても良い。また、交換充電池提示部４３は、交換推奨充電池を表示器１２に表示しても良い。
【０１０２】
［実施形態の第１動作例の具体例］
図１５及び図１６は、実施形態に係る充電池管理システムの第１動作例の具体例を説明する図である。
【０１０３】
図１５において、横軸方向は、消防官を表し、縦軸方向は、予測消費電力量を表す。ここでは、「甲さん」、「乙さん」、「丙さん」、「丁さん」、「戊さん」、「己さん」、「庚さん」、「辛さん」、及び、「壬さん」の９人の消防官が居るものとする。そして、「甲さん」の予測消費電力量が、予測消費電力量の最小値Ｑｍｉｎである。充電池交換管理部４２は、ステップＳ３００において、「甲さん」の予測消費電力量を、予測消費電力量の最小値Ｑｍｉｎに特定する。
【０１０４】
図１６において、横軸方向は、充電池を表し、縦軸方向は、最大充電電力量を表す。ここでは、「充電池Ａ」、「充電池Ｂ」、「充電池Ｃ」、「充電池Ｄ」、「充電池Ｅ」、「充電池Ｆ」、「充電池Ｇ」、「充電池Ｈ」、「充電池Ｉ」、「充電池Ｊ」、及び、「充電池Ｋ」の１１個の充電池が有るものとする。そして、「充電池Ａ」の最大充電電力量が、予測消費電力量の最小値Ｑｍｉｎよりも小さい。この場合、「充電池Ａ」は、「甲さん」から「壬さん」までの９人の誰にも利用できない充電池ということになる。
【０１０５】
この場合、充電池交換管理部４２は、ステップＳ３０２において、予測消費電力量の最小値Ｑｍｉｎよりも小さい最大充電電力量の充電池である「充電池Ａ」があると判定する。そして、充電池交換管理部４２は、ステップＳ３０４において、「充電池Ａ」を交換推奨充電池に決定する。
【０１０６】
交換充電池提示部４３は、ステップＳ３０６において、交換推奨充電池である「充電池Ａ」を充電池の管理者に提示する。充電池の管理者は、提示を受けたら、「充電池Ａ」を新品又はリサイクル処理済みの「充電池Ｌ」に交換する。交換後は、「甲さん」から「壬さん」までには、「充電池Ｂ」から「充電池Ｌ」までが夫々利用推奨される。
【０１０７】
第１動作例によれば、充電池管理システム１は、インシデントタイプ、インシデントの発生場所、及び、消防官の役割に基づいて、複数の消防官の各々の予測消費電力量を算出できる。これにより、充電池管理システム１は、様々なインシデントタイプ、様々なインシデントの発生場所、及び、消防官の様々な役割に応じて、複数の消防官の各々の予測消費電力量を好適に算出できる。
【０１０８】
また、充電池管理システム１は、複数のユーザの各々の予測消費電力量に基づいて、交換を推奨する充電池を好適に決定できる。これにより、充電池管理システム１は、複数の充電池の管理を好適に行うことができる。また、充電池管理システム１は、複数の充電池の劣化状況と消防官の利用状況とに応じて、交換を推奨する充電池を効率的に決定することができ、経済性の高い運用を好適に行うことができる。また、充電池管理システム１は、後述する第３動作例及び第４動作例と比較して、交換推奨充電池を少ない処理で決定できる。
【０１０９】
［実施形態の第２動作例］
実施形態に係る充電池管理システム１の第２動作例の全体フローチャートは、図８に示した第１動作例の全体フローチャートと同じである。実施形態に係る充電池管理システム１の第２動作例は、交換推奨充電池決定サブルーチン（ステップＳ１０４）の内容が、第１動作例と異なる。
【０１１０】
図１７は、実施形態に係る充電池管理システムの第２動作例の交換推奨充電池決定サブルーチンを示すフローチャートである。図１７を参照すると、充電池交換管理部４２は、ステップＳ４００において、複数の消防官の予測消費電力量の中央値を特定する。
【０１１１】
充電池交換管理部４２は、ステップＳ４０２において、予測消費電力量の中央値よりも小さい最大充電電力量の充電池があるか否かを判定する。充電池交換管理部４２は、予測消費電力量の中央値よりも小さい最大充電電力量の充電池があると判定したら（ステップＳ４０２でＹｅｓ）、処理をステップＳ４０４に進める。充電池交換管理部４２は、予測消費電力量の中央値よりも小さい最大充電電力量の充電池がないと判定したら（ステップＳ４０２でＮｏ）、処理を終了する。
【０１１２】
充電池交換管理部４２は、ステップＳ４０４において、予測消費電力量の中央値よりも小さい最大充電電力量に該当する充電池を、交換推奨充電池に決定する。
【０１１３】
交換充電池提示部４３は、ステップＳ４０６において、交換推奨充電池を充電池の管理者に提示する。
【０１１４】
［実施形態の第２動作例の具体例］
図１８及び図１９は、実施形態に係る充電池管理システムの第２動作例の具体例を説明する図である。
【０１１５】
図１８において、横軸方向は、消防官を表し、縦軸方向は、予測消費電力量を表す。ここでは、「甲さん」、「乙さん」、「丙さん」、「丁さん」、「戊さん」、「己さん」、「庚さん」、「辛さん」、及び、「壬さん」の９人の消防官が居るものとする。そして、「戊さん」の予測消費電力量が、予測消費電力量の中央値Ｑｍｅｄである。充電池交換管理部４２は、ステップＳ４００において、「戊さん」の予測消費電力量を、予測消費電力量の中央値Ｑｍｅｄに特定する。
【０１１６】
図１９において、横軸方向は、充電池を表し、縦軸方向は、最大充電電力量を表す。ここでは、「充電池Ａ」、「充電池Ｂ」、「充電池Ｃ」、「充電池Ｄ」、「充電池Ｅ」、「充電池Ｆ」、「充電池Ｇ」、「充電池Ｈ」、「充電池Ｉ」、「充電池Ｊ」、及び、「充電池Ｋ」の１１個の充電池が有るものとする。そして、「充電池Ａ」、「充電池Ｂ」、及び、「充電池Ｃ」の最大充電電力量が、予測消費電力量の中央値Ｑｍｅｄよりも小さい。この場合、「充電池Ａ」、「充電池Ｂ」、及び、「充電池Ｃ」は、「甲さん」から「壬さん」までの９人の内の凡そ半分の人（「甲さん」、「乙さん」、「丙さん」、及び、「丁さん」の４人）に利用できない充電池ということになる。
【０１１７】
この場合、充電池交換管理部４２は、ステップＳ４０２において、予測消費電力量の中央値Ｑｍｅｄよりも小さい最大充電電力量の充電池である「充電池Ａ」、「充電池Ｂ」、及び、「充電池Ｃ」があると判定する。そして、充電池交換管理部４２は、ステップＳ４０４において、「充電池Ａ」、「充電池Ｂ」、及び、「充電池Ｃ」を交換推奨充電池に決定する。
【０１１８】
交換充電池提示部４３は、ステップＳ４０６において、交換推奨充電池である「充電池Ａ」、「充電池Ｂ」、及び、「充電池Ｃ」を充電池の管理者に提示する。充電池の管理者は、提示を受けたら、「充電池Ａ」、「充電池Ｂ」、及び、「充電池Ｃ」を新品又はリサイクル処理済みの「充電池Ｌ」、「充電池Ｍ」、及び、「充電池Ｎ」に交換する。交換後は、「甲さん」から「壬さん」までには、「充電池Ｄ」から「充電池Ｎ」までが夫々利用推奨される。
【０１１９】
第２動作例によれば、充電池管理システム１は、複数のユーザの各々の予測消費電力量に基づいて、交換を推奨する充電池を好適に決定できる。これにより、充電池管理システム１は、複数の充電池の管理を好適に行うことができる。また、充電池管理システム１は、複数の充電池の劣化状況と消防官の利用状況とに応じて、交換を推奨する充電池を効率的に決定することができ、経済性の高い運用を好適に行うことができる。また、充電池管理システム１は、後述する第３動作例及び第４動作例と比較して、交換推奨充電池を少ない処理で決定できる。
【０１２０】
［実施形態の第３動作例］
実施形態に係る充電池管理システム１の第３動作例の全体フローチャートは、図８に示した第１動作例の全体フローチャートと同じである。実施形態に係る充電池管理システム１の第３動作例は、交換推奨充電池決定サブルーチン（ステップＳ１０４）の内容が、第１動作例及び第２動作例と異なる。
【０１２１】
図２０は、実施形態に係る充電池管理システムの第３動作例の交換推奨充電池決定サブルーチンを示すフローチャートである。図２０を参照すると、充電池交換管理部４２は、ステップＳ５００において、予測消費電力量が最小である消防官を特定する。
【０１２２】
充電池交換管理部４２は、ステップＳ５０２において、特定した消防官に利用推奨充電池を割り当てる処理を実行する。詳細には、充電池交換管理部４２は、最大充電電力量が、特定した消防官の予測消費電力量以上且つ最小であり、未割り当てである充電池を、利用推奨充電池として、特定した消防官に割り当てる。
【０１２３】
充電池交換管理部４２は、ステップＳ５０４において、利用推奨充電池を割り当てる処理（ステップＳ５０２）が全ての消防官に対して実行されたか否かを判定する。充電池交換管理部４２は、利用推奨充電池を割り当てる処理が全ての消防官に対して実行されたと判定したら（ステップＳ５０４でＹｅｓ）、処理をステップＳ５０８に進める。充電池交換管理部４２は、利用推奨充電池を割り当てる処理が全ての消防官に対して実行されていないと判定したら（ステップＳ５０４でＮｏ）、処理をステップＳ５０６に進める。
【０１２４】
充電池交換管理部４２は、ステップＳ５０６において、予測消費電力量が次に小さい消防官を特定し、処理をステップＳ５０２に進める。充電池交換管理部４２は、ステップＳ５０２からステップＳ５０６までのループを繰り返すことにより、利用推奨充電池を割り当てる処理を全ての消防官に対して実行する。
【０１２５】
充電池交換管理部４２は、ステップＳ５０８において、利用推奨充電池が全ての消防官に割り当てられたか否かを判定する。充電池交換管理部４２は、利用推奨充電池が全ての消防官に割り当てられたと判定したら（ステップＳ５０８でＹｅｓ）、処理をステップＳ５１０に進める。充電池交換管理部４２は、利用推奨充電池が全ての消防官に割り当てられていないと判定したら（ステップＳ５０８でＮｏ）、処理をステップＳ５１２に進める。
【０１２６】
充電池交換管理部４２は、ステップＳ５１０において、最小の予測消費電力量のユーザの利用推奨充電池を割り当てる処理で割り当てがスキップされた充電池を、交換推奨充電池に決定する。充電池交換管理部４２は、その後、処理をステップＳ５１４に進める。
【０１２７】
充電池交換管理部４２は、ステップＳ５１２において、最大充電電力量の小さい充電池から、利用推奨充電池が割り当てられなかった消防官の数と同数の充電池を、交換推奨充電池に決定する。充電池交換管理部４２は、その後、処理をステップＳ５１４に進める。
【０１２８】
交換充電池提示部４３は、ステップＳ５１４において、交換推奨充電池を充電池の管理者に提示する。
【０１２９】
［実施形態の第３動作例の第１具体例］
図２１は、実施形態に係る充電池管理システムの第３動作例の第１具体例を説明する図である。
【０１３０】
図２１に示すように、「充電池Ａ」、「充電池Ｂ」、「充電池Ｃ」、「充電池Ｄ」、「充電池Ｅ」、「充電池Ｆ」、「充電池Ｇ」、「充電池Ｈ」、「充電池Ｉ」、「充電池Ｊ」、及び、「充電池Ｋ」の１１個の充電池が有るものとする。また、「甲さん」、「乙さん」、「丙さん」、「丁さん」、「戊さん」、「己さん」、「庚さん」、「辛さん」、及び、「壬さん」の９人の消防官が居るものとする。
【０１３１】
「充電池Ａ」の最大充電電力量は、「１０ｍＡｈ」である。「充電池Ｂ」の最大充電電力量は、「４５ｍＡｈ」である。「充電池Ｃ」の最大充電電力量は、「４８ｍＡｈ」である。「充電池Ｄ」の最大充電電力量は、「５０ｍＡｈ」である。「充電池Ｅ」の最大充電電力量は、「８０ｍＡｈ」である。「充電池Ｆ」の最大充電電力量は、「９０ｍＡｈ」である。「充電池Ｇ」から「充電池Ｋ」までの最大充電電力量は、「１００ｍＡｈ」である。
【０１３２】
「甲さん」の予測消費電力量は、「２０ｍＡｈ」である。「乙さん」の予測消費電力量は、「４０ｍＡｈ」である。「丙さん」及び「丁さん」の予測消費電力量は、「６０ｍＡｈ」である。「戊さん」及び「己さん」の予測消費電力量は、「８０ｍＡｈ」である。「庚さん」、「辛さん」、及び、「壬さん」の予測消費電力量は、「９０ｍＡｈ」である。
【０１３３】
充電池交換管理部４２は、ステップＳ５００において、予測消費電力量が最小である「甲さん」を特定する。充電池交換管理部４２は、ステップＳ５０２において、「甲さん」に利用推奨充電池を割り当てる処理を実行する。詳細には、充電池交換管理部４２は、矢印１４１で示すように、最大充電電力量が、「甲さん」の予測消費電力量「２０ｍＡｈ」以上且つ最小であり、未割り当てである「充電池Ｂ」を、利用推奨充電池として、「甲さん」に割り当てる。
【０１３４】
充電池交換管理部４２は、ステップＳ５０４において、利用推奨充電池を割り当てる処理が全ての消防官に対して実行されていないと判定する（ステップＳ５０４でＮｏ）。充電池交換管理部４２は、ステップＳ５０６において、予測消費電力量が次に小さい「乙さん」を特定し、処理をステップＳ５０２に進める。
【０１３５】
充電池交換管理部４２は、ステップＳ５０２において、「乙さん」に利用推奨充電池を割り当てる処理を実行する。詳細には、充電池交換管理部４２は、矢印１４２で示すように、最大充電電力量が、「乙さん」の予測消費電力量「４０ｍＡｈ」以上且つ最小であり、未割り当てである「充電池Ｃ」を、利用推奨充電池として、「乙さん」に割り当てる。
【０１３６】
充電池交換管理部４２は、ステップＳ５０４において、利用推奨充電池を割り当てる処理が全ての消防官に対して実行されていないと判定する（ステップＳ５０４でＮｏ）。充電池交換管理部４２は、ステップＳ５０６において、予測消費電力量が次に小さい「丙さん」を特定し、処理をステップＳ５０２に進める。
【０１３７】
充電池交換管理部４２は、ステップＳ５０２において、「丙さん」に利用推奨充電池を割り当てる処理を実行する。詳細には、充電池交換管理部４２は、矢印１４３で示すように、最大充電電力量が、「丙さん」の予測消費電力量「６０ｍＡｈ」以上且つ最小であり、未割り当てである「充電池Ｅ」を、利用推奨充電池として、「丙さん」に割り当てる。
【０１３８】
充電池交換管理部４２は、ステップＳ５０４において、利用推奨充電池を割り当てる処理が全ての消防官に対して実行されていないと判定する（ステップＳ５０４でＮｏ）。充電池交換管理部４２は、ステップＳ５０６において、予測消費電力量が次に小さい「丁さん」を特定し、処理をステップＳ５０２に進める。
【０１３９】
充電池交換管理部４２は、ステップＳ５０２において、「丁さん」に利用推奨充電池を割り当てる処理を実行する。詳細には、充電池交換管理部４２は、矢印１４４で示すように、最大充電電力量が、「丁さん」の予測消費電力量「６０ｍＡｈ」以上且つ最小であり、未割り当てである「充電池Ｆ」を、利用推奨充電池として、「丁さん」に割り当てる。
【０１４０】
充電池交換管理部４２は、ステップＳ５０４において、利用推奨充電池を割り当てる処理が全ての消防官に対して実行されていないと判定する（ステップＳ５０４でＮｏ）。充電池交換管理部４２は、ステップＳ５０６において、予測消費電力量が次に小さい「戊さん」を特定し、処理をステップＳ５０２に進める。
【０１４１】
充電池交換管理部４２は、ステップＳ５０２において、「戊さん」に利用推奨充電池を割り当てる処理を実行する。詳細には、充電池交換管理部４２は、矢印１４５で示すように、最大充電電力量が、「戊さん」の予測消費電力量「８０ｍＡｈ」以上且つ最小であり、未割り当てである「充電池Ｇ」を、利用推奨充電池として、「戊さん」に割り当てる。
【０１４２】
充電池交換管理部４２は、ステップＳ５０４において、利用推奨充電池を割り当てる処理が全ての消防官に対して実行されていないと判定する（ステップＳ５０４でＮｏ）。充電池交換管理部４２は、ステップＳ５０６において、予測消費電力量が次に小さい「己さん」を特定し、処理をステップＳ５０２に進める。
【０１４３】
充電池交換管理部４２は、ステップＳ５０２において、「己さん」に利用推奨充電池を割り当てる処理を実行する。詳細には、充電池交換管理部４２は、矢印１４６で示すように、最大充電電力量が、「己さん」の予測消費電力量「８０ｍＡｈ」以上且つ最小であり、未割り当てである「充電池Ｈ」を、利用推奨充電池として、「己さん」に割り当てる。
【０１４４】
充電池交換管理部４２は、ステップＳ５０４において、利用推奨充電池を割り当てる処理が全ての消防官に対して実行されていないと判定する（ステップＳ５０４でＮｏ）。充電池交換管理部４２は、ステップＳ５０６において、予測消費電力量が次に小さい「庚さん」を特定し、処理をステップＳ５０２に進める。
【０１４５】
充電池交換管理部４２は、ステップＳ５０２において、「庚さん」に利用推奨充電池を割り当てる処理を実行する。詳細には、充電池交換管理部４２は、矢印１４７で示すように、最大充電電力量が、「庚さん」の予測消費電力量「９０ｍＡｈ」以上且つ最小であり、未割り当てである「充電池Ｉ」を、利用推奨充電池として、「庚さん」に割り当てる。
【０１４６】
充電池交換管理部４２は、ステップＳ５０４において、利用推奨充電池を割り当てる処理が全ての消防官に対して実行されていないと判定する（ステップＳ５０４でＮｏ）。充電池交換管理部４２は、ステップＳ５０６において、予測消費電力量が次に小さい「辛さん」を特定し、処理をステップＳ５０２に進める。
【０１４７】
充電池交換管理部４２は、ステップＳ５０２において、「辛さん」に利用推奨充電池を割り当てる処理を実行する。詳細には、充電池交換管理部４２は、矢印１４８で示すように、最大充電電力量が、「辛さん」の予測消費電力量「９０ｍＡｈ」以上且つ最小であり、未割り当てである「充電池Ｊ」を、利用推奨充電池として、「辛さん」に割り当てる。
【０１４８】
充電池交換管理部４２は、ステップＳ５０４において、利用推奨充電池を割り当てる処理が全ての消防官に対して実行されていないと判定する（ステップＳ５０４でＮｏ）。充電池交換管理部４２は、ステップＳ５０６において、予測消費電力量が次に小さい「壬さん」を特定し、処理をステップＳ５０２に進める。
【０１４９】
充電池交換管理部４２は、ステップＳ５０２において、「壬さん」に利用推奨充電池を割り当てる処理を実行する。詳細には、充電池交換管理部４２は、矢印１４９で示すように、最大充電電力量が、「壬さん」の予測消費電力量「９０ｍＡｈ」以上且つ最小であり、未割り当てである「充電池Ｋ」を、利用推奨充電池として、「壬さん」に割り当てる。
【０１５０】
充電池交換管理部４２は、ステップＳ５０４において、利用推奨充電池を割り当てる処理が全ての消防官に対して実行されたと判定し（ステップＳ５０４でＹｅｓ）、処理をステップＳ５０８に進める。
【０１５１】
充電池交換管理部４２は、ステップＳ５０８において、最小の予測消費電力量のユーザの利用推奨充電池が全ての消防官に割り当てられたと判定し（ステップＳ５０８でＹｅｓ）、処理をステップＳ５１０に進める。
【０１５２】
充電池交換管理部４２は、ステップＳ５１０において、利用推奨充電池を割り当てる処理で割り当てがスキップされた「充電池Ａ」及び「充電池Ｄ」の内、最小の予測消費電力量のユーザへの割り当ての際にスキップされた「充電池Ａ」を、交換推奨充電池に決定し、処理をステップＳ５１４に進める。
【０１５３】
交換充電池提示部４３は、ステップＳ５１４において、交換推奨充電池である「充電池Ａ」を、充電池の管理者に提示する。充電池の管理者は、提示を受けたら、「充電池Ａ」を新品又はリサイクル処理済みの充電池に交換する。
【０１５４】
［実施形態の第３動作例の第２具体例］
図２２は、実施形態に係る充電池管理システムの第３動作例の第２具体例を説明する図である。
【０１５５】
図２２に示すように、「充電池Ａ」、「充電池Ｂ」、「充電池Ｃ」、「充電池Ｄ」、「充電池Ｅ」、「充電池Ｆ」、「充電池Ｇ」、「充電池Ｈ」、及び、「充電池Ｉ」の９個の充電池が有るものとする。また、「甲さん」、「乙さん」、「丙さん」、「丁さん」、「戊さん」、「己さん」、「庚さん」、「辛さん」、及び、「壬さん」の９人の消防官が居るものとする。
【０１５６】
「充電池Ａ」の最大充電電力量は、「１０ｍＡｈ」である。「充電池Ｂ」の最大充電電力量は、「４５ｍＡｈ」である。「充電池Ｃ」の最大充電電力量は、「４８ｍＡｈ」である。「充電池Ｄ」の最大充電電力量は、「５０ｍＡｈ」である。「充電池Ｅ」の最大充電電力量は、「８０ｍＡｈ」である。「充電池Ｆ」の最大充電電力量は、「９０ｍＡｈ」である。「充電池Ｇ」、「充電池Ｈ」、及び、「充電池Ｉ」の最大充電電力量は、「１００ｍＡｈ」である。
【０１５７】
「甲さん」の予測消費電力量は、「２０ｍＡｈ」である。「乙さん」の予測消費電力量は、「４０ｍＡｈ」である。「丙さん」及び「丁さん」の予測消費電力量は、「６０ｍＡｈ」である。「戊さん」及び「己さん」の予測消費電力量は、「８０ｍＡｈ」である。「庚さん」、「辛さん」、及び、「壬さん」の予測消費電力量は、「９０ｍＡｈ」である。
【０１５８】
充電池交換管理部４２は、ステップＳ５００において、予測消費電力量が最小である「甲さん」を特定する。充電池交換管理部４２は、ステップＳ５０２において、「甲さん」に利用推奨充電池を割り当てる処理を実行する。詳細には、充電池交換管理部４２は、矢印１５１で示すように、最大充電電力量が、「甲さん」の予測消費電力量「２０ｍＡｈ」以上且つ最小であり、未割り当てである「充電池Ｂ」を、利用推奨充電池として、「甲さん」に割り当てる。
【０１５９】
充電池交換管理部４２は、ステップＳ５０４において、利用推奨充電池を割り当てる処理が全ての消防官に対して実行されていないと判定する（ステップＳ５０４でＮｏ）。充電池交換管理部４２は、ステップＳ５０６において、予測消費電力量が次に小さい「乙さん」を特定し、処理をステップＳ５０２に進める。
【０１６０】
充電池交換管理部４２は、ステップＳ５０２において、「乙さん」に利用推奨充電池を割り当てる処理を実行する。詳細には、充電池交換管理部４２は、矢印１５２で示すように、最大充電電力量が、「乙さん」の予測消費電力量「４０ｍＡｈ」以上且つ最小であり、未割り当てである「充電池Ｃ」を、利用推奨充電池として、「乙さん」に割り当てる。
【０１６１】
充電池交換管理部４２は、ステップＳ５０４において、利用推奨充電池を割り当てる処理が全ての消防官に対して実行されていないと判定する（ステップＳ５０４でＮｏ）。充電池交換管理部４２は、ステップＳ５０６において、予測消費電力量が次に小さい「丙さん」を特定し、処理をステップＳ５０２に進める。
【０１６２】
充電池交換管理部４２は、ステップＳ５０２において、「丙さん」に利用推奨充電池を割り当てる処理を実行する。詳細には、充電池交換管理部４２は、矢印１５３で示すように、最大充電電力量が、「丙さん」の予測消費電力量「６０ｍＡｈ」以上且つ最小であり、未割り当てである「充電池Ｅ」を、利用推奨充電池として、「丙さん」に割り当てる。
【０１６３】
充電池交換管理部４２は、ステップＳ５０４において、利用推奨充電池を割り当てる処理が全ての消防官に対して実行されていないと判定する（ステップＳ５０４でＮｏ）。充電池交換管理部４２は、ステップＳ５０６において、予測消費電力量が次に小さい「丁さん」を特定し、処理をステップＳ５０２に進める。
【０１６４】
充電池交換管理部４２は、ステップＳ５０２において、「丁さん」に利用推奨充電池を割り当てる処理を実行する。詳細には、充電池交換管理部４２は、矢印１５４で示すように、最大充電電力量が、「丁さん」の予測消費電力量「６０ｍＡｈ」以上且つ最小であり、未割り当てである「充電池Ｆ」を、利用推奨充電池として、「丁さん」に割り当てる。
【０１６５】
充電池交換管理部４２は、ステップＳ５０４において、利用推奨充電池を割り当てる処理が全ての消防官に対して実行されていないと判定する（ステップＳ５０４でＮｏ）。充電池交換管理部４２は、ステップＳ５０６において、予測消費電力量が次に小さい「戊さん」を特定し、処理をステップＳ５０２に進める。
【０１６６】
充電池交換管理部４２は、ステップＳ５０２において、「戊さん」に利用推奨充電池を割り当てる処理を実行する。詳細には、充電池交換管理部４２は、矢印１５５で示すように、最大充電電力量が、「戊さん」の予測消費電力量「８０ｍＡｈ」以上且つ最小であり、未割り当てである「充電池Ｇ」を、利用推奨充電池として、「戊さん」に割り当てる。
【０１６７】
充電池交換管理部４２は、ステップＳ５０４において、利用推奨充電池を割り当てる処理が全ての消防官に対して実行されていないと判定する（ステップＳ５０４でＮｏ）。充電池交換管理部４２は、ステップＳ５０６において、予測消費電力量が次に小さい「己さん」を特定し、処理をステップＳ５０２に進める。
【０１６８】
充電池交換管理部４２は、ステップＳ５０２において、「己さん」に利用推奨充電池を割り当てる処理を実行する。詳細には、充電池交換管理部４２は、矢印１５６で示すように、最大充電電力量が、「己さん」の予測消費電力量「８０ｍＡｈ」以上且つ最小であり、未割り当てである「充電池Ｈ」を、利用推奨充電池として、「己さん」に割り当てる。
【０１６９】
充電池交換管理部４２は、ステップＳ５０４において、利用推奨充電池を割り当てる処理が全ての消防官に対して実行されていないと判定する（ステップＳ５０４でＮｏ）。充電池交換管理部４２は、ステップＳ５０６において、予測消費電力量が次に小さい「庚さん」を特定し、処理をステップＳ５０２に進める。
【０１７０】
充電池交換管理部４２は、ステップＳ５０２において、「庚さん」に利用推奨充電池を割り当てる処理を実行する。詳細には、充電池交換管理部４２は、矢印１５７で示すように、最大充電電力量が、「庚さん」の予測消費電力量「９０ｍＡｈ」以上且つ最小であり、未割り当てである「充電池Ｉ」を、利用推奨充電池として、「庚さん」に割り当てる。
【０１７１】
充電池交換管理部４２は、ステップＳ５０４において、利用推奨充電池を割り当てる処理が全ての消防官に対して実行されていないと判定する（ステップＳ５０４でＮｏ）。充電池交換管理部４２は、ステップＳ５０６において、予測消費電力量が次に小さい「辛さん」を特定し、処理をステップＳ５０２に進める。
【０１７２】
充電池交換管理部４２は、ステップＳ５０２において、「辛さん」に利用推奨充電池を割り当てる処理を実行する。しかしながら、最大充電電力量が、「辛さん」の予測消費電力量「９０ｍＡｈ」以上且つ最小であり、未割り当てである充電池がない。従って、充電池交換管理部４２は、「辛さん」に利用推奨充電池を割り当てない。
【０１７３】
充電池交換管理部４２は、ステップＳ５０４において、利用推奨充電池を割り当てる処理が全ての消防官に対して実行されていないと判定する（ステップＳ５０４でＮｏ）。充電池交換管理部４２は、ステップＳ５０６において、予測消費電力量が次に小さい「壬さん」を特定し、処理をステップＳ５０２に進める。
【０１７４】
充電池交換管理部４２は、ステップＳ５０２において、「壬さん」に利用推奨充電池を割り当てる処理を実行する。しかしながら、最大充電電力量が、「壬さん」の予測消費電力量「９０ｍＡｈ」以上且つ最小であり、未割り当てである充電池がない。従って、充電池交換管理部４２は、「壬さん」に利用推奨充電池を割り当てない。
【０１７５】
充電池交換管理部４２は、ステップＳ５０４において、利用推奨充電池を割り当てる処理が全ての消防官に対して実行されたと判定し（ステップＳ５０４でＹｅｓ）、処理をステップＳ５０８に進める。
【０１７６】
充電池交換管理部４２は、ステップＳ５０８において、利用推奨充電池が全ての消防官に割り当てられていないと判定し（ステップＳ５０８でＮｏ）、処理をステップＳ５１２に進める。
【０１７７】
充電池交換管理部４２は、ステップＳ５１２において、最大充電電力量の小さい充電池から、利用推奨充電池が割り当てられなかった消防官の数「２」と同数の充電池すなわち「充電池Ａ」及び「充電池Ｂ」を、交換推奨充電池に決定する。充電池交換管理部４２は、その後、処理をステップＳ５１４に進める。
【０１７８】
交換充電池提示部４３は、ステップＳ５１４において、交換推奨充電池である「充電池Ａ」及び「充電池Ｂ」を、充電池の管理者に提示する。充電池の管理者は、提示を受けたら、「充電池Ａ」及び「充電池Ｂ」を新品又はリサイクル処理済みの充電池に交換する。充電池交換管理部４２は、交換後の２個の充電池を、利用推奨充電池として「辛さん」及び「壬さん」に割り当てることが可能である。
【０１７９】
第３動作例によれば、充電池管理システム１は、複数のユーザの各々の予測消費電力量に基づいて、交換を推奨する充電池を好適に決定できる。これにより、充電池管理システム１は、複数の充電池の管理を好適に行うことができる。また、充電池管理システム１は、複数の充電池の劣化状況と消防官の利用状況とに応じて、交換を推奨する充電池を効率的に決定することができ、経済性の高い運用を好適に行うことができる。
【０１８０】
［実施形態の第４動作例］
実施形態に係る充電池管理システム１の第４動作例の全体フローチャートは、図８に示した第１動作例の全体フローチャートと同じである。実施形態に係る充電池管理システム１の第４動作例は、交換推奨充電池決定サブルーチン（ステップＳ１０４）の内容が、第１動作例、第２動作例、及び、第３動作例と異なる。
【０１８１】
図２３は、実施形態に係る充電池管理システムの第４動作例の交換推奨充電池決定サブルーチンを示すフローチャートである。図２３を参照すると、充電池交換管理部４２は、ステップＳ６００において、予測消費電力量が最大である消防官を特定する。
【０１８２】
充電池交換管理部４２は、ステップＳ６０２において、特定した消防官に利用推奨充電池を割り当てる処理を実行する。詳細には、充電池交換管理部４２は、最大充電電力量が、特定した消防官の予測消費電力量以上且つ最大であり、未割り当てである充電池を、利用推奨充電池として、特定した消防官に割り当てる。
【０１８３】
充電池交換管理部４２は、ステップＳ６０４において、利用推奨充電池を割り当てる処理（ステップＳ６０２）が全ての消防官に対して実行されたか否かを判定する。充電池交換管理部４２は、利用推奨充電池を割り当てる処理が全ての消防官に対して実行されたと判定したら（ステップＳ６０４でＹｅｓ）、処理をステップＳ６０８に進める。充電池交換管理部４２は、利用推奨充電池を割り当てる処理が全ての消防官に対して実行されていないと判定したら（ステップＳ６０４でＮｏ）、処理をステップＳ６０６に進める。
【０１８４】
充電池交換管理部４２は、ステップＳ６０６において、予測消費電力量が次に大きい消防官を特定し、処理をステップＳ６０２に進める。充電池交換管理部４２は、ステップＳ６０２からステップＳ６０６までのループを繰り返すことにより、利用推奨充電池を割り当てる処理を全ての消防官に対して実行する。
【０１８５】
充電池交換管理部４２は、ステップＳ６０８において、利用推奨充電池が全ての消防官に割り当てられたか否かを判定する。充電池交換管理部４２は、利用推奨充電池が全ての消防官に割り当てられたと判定したら（ステップＳ６０８でＹｅｓ）、処理を終了する。充電池交換管理部４２は、利用推奨充電池が全ての消防官に割り当てられていないと判定したら（ステップＳ６０８でＮｏ）、処理をステップＳ６１０に進める。
【０１８６】
充電池交換管理部４２は、ステップＳ６１０において、最大充電電力量の小さい充電池から、利用推奨充電池が割り当てられなかった消防官の数と同数の充電池を、交換推奨充電池に決定する。充電池交換管理部４２は、その後、処理をステップＳ６１２に進める。
【０１８７】
交換充電池提示部４３は、ステップＳ６１２において、交換推奨充電池を充電池の管理者に提示する。
【０１８８】
［実施形態の第４動作例の具体例］
図２４は、実施形態に係る充電池管理システムの第４動作例の具体例を説明する図である。第４動作例は、充電池の数と、消防官の数と、が同数であることを前提とする。
【０１８９】
図２４に示すように、「充電池Ａ」、「充電池Ｂ」、「充電池Ｃ」、「充電池Ｄ」、「充電池Ｅ」、「充電池Ｆ」、「充電池Ｇ」、「充電池Ｈ」、及び、「充電池Ｉ」の９個の充電池が有るものとする。また、「甲さん」、「乙さん」、「丙さん」、「丁さん」、「戊さん」、「己さん」、「庚さん」、「辛さん」、及び、「壬さん」の９人の消防官が居るものとする。
【０１９０】
「充電池Ａ」の最大充電電力量は、「１０ｍＡｈ」である。「充電池Ｂ」の最大充電電力量は、「４５ｍＡｈ」である。「充電池Ｃ」の最大充電電力量は、「４８ｍＡｈ」である。「充電池Ｄ」の最大充電電力量は、「５０ｍＡｈ」である。「充電池Ｅ」の最大充電電力量は、「８０ｍＡｈ」である。「充電池Ｆ」の最大充電電力量は、「９０ｍＡｈ」である。「充電池Ｇ」、「充電池Ｈ」、及び、「充電池Ｉ」の最大充電電力量は、「１００ｍＡｈ」である。
【０１９１】
「甲さん」の予測消費電力量は、「２０ｍＡｈ」である。「乙さん」の予測消費電力量は、「４０ｍＡｈ」である。「丙さん」及び「丁さん」の予測消費電力量は、「６０ｍＡｈ」である。「戊さん」及び「己さん」の予測消費電力量は、「８０ｍＡｈ」である。「庚さん」、「辛さん」、及び、「壬さん」の予測消費電力量は、「９０ｍＡｈ」である。
【０１９２】
充電池交換管理部４２は、ステップＳ６００において、予測消費電力量が最大である「壬さん」を特定する。充電池交換管理部４２は、ステップＳ６０２において、「壬さん」に利用推奨充電池を割り当てる処理を実行する。詳細には、充電池交換管理部４２は、矢印１６１で示すように、最大充電電力量が、「壬さん」の予測消費電力量「９０ｍＡｈ」以上且つ最大であり、未割り当てである「充電池Ｉ」を、利用推奨充電池として、「壬さん」に割り当てる。
【０１９３】
充電池交換管理部４２は、ステップＳ６０４において、利用推奨充電池を割り当てる処理（ステップＳ６０２）が全ての消防官に対して実行されていないと判定する（ステップＳ６０４でＮｏ）。充電池交換管理部４２は、ステップＳ６０６において、予測消費電力量が次に大きい「辛さん」を特定し、処理をステップＳ６０２に進める。
【０１９４】
充電池交換管理部４２は、ステップＳ６０２において、「辛さん」に利用推奨充電池を割り当てる処理を実行する。詳細には、充電池交換管理部４２は、矢印１６２で示すように、最大充電電力量が、「辛さん」の予測消費電力量「９０ｍＡｈ」以上且つ最大であり、未割り当てである「充電池Ｈ」を、利用推奨充電池として、「辛さん」に割り当てる。
【０１９５】
充電池交換管理部４２は、ステップＳ６０４において、利用推奨充電池を割り当てる処理（ステップＳ６０２）が全ての消防官に対して実行されていないと判定する（ステップＳ６０４でＮｏ）。充電池交換管理部４２は、ステップＳ６０６において、予測消費電力量が次に大きい「庚さん」を特定し、処理をステップＳ６０２に進める。
【０１９６】
充電池交換管理部４２は、ステップＳ６０２において、「庚さん」に利用推奨充電池を割り当てる処理を実行する。詳細には、充電池交換管理部４２は、矢印１６３で示すように、最大充電電力量が、「庚さん」の予測消費電力量「９０ｍＡｈ」以上且つ最大であり、未割り当てである「充電池Ｇ」を、利用推奨充電池として、「庚さん」に割り当てる。
【０１９７】
充電池交換管理部４２は、ステップＳ６０４において、利用推奨充電池を割り当てる処理（ステップＳ６０２）が全ての消防官に対して実行されていないと判定する（ステップＳ６０４でＮｏ）。充電池交換管理部４２は、ステップＳ６０６において、予測消費電力量が次に大きい「己さん」を特定し、処理をステップＳ６０２に進める。
【０１９８】
充電池交換管理部４２は、ステップＳ６０２において、「己さん」に利用推奨充電池を割り当てる処理を実行する。詳細には、充電池交換管理部４２は、矢印１６４で示すように、最大充電電力量が、「己さん」の予測消費電力量「８０ｍＡｈ」以上且つ最大であり、未割り当てである「充電池Ｆ」を、利用推奨充電池として、「己さん」に割り当てる。
【０１９９】
充電池交換管理部４２は、ステップＳ６０４において、利用推奨充電池を割り当てる処理（ステップＳ６０２）が全ての消防官に対して実行されていないと判定する（ステップＳ６０４でＮｏ）。充電池交換管理部４２は、ステップＳ６０６において、予測消費電力量が次に大きい「戊さん」を特定し、処理をステップＳ６０２に進める。
【０２００】
充電池交換管理部４２は、ステップＳ６０２において、「戊さん」に利用推奨充電池を割り当てる処理を実行する。詳細には、充電池交換管理部４２は、矢印１６５で示すように、最大充電電力量が、「戊さん」の予測消費電力量「８０ｍＡｈ」以上且つ最大であり、未割り当てである「充電池Ｅ」を、利用推奨充電池として、「戊さん」に割り当てる。
【０２０１】
充電池交換管理部４２は、ステップＳ６０４において、利用推奨充電池を割り当てる処理（ステップＳ６０２）が全ての消防官に対して実行されていないと判定する（ステップＳ６０４でＮｏ）。充電池交換管理部４２は、ステップＳ６０６において、予測消費電力量が次に大きい「丁さん」を特定し、処理をステップＳ６０２に進める。
【０２０２】
充電池交換管理部４２は、ステップＳ６０２において、「丁さん」に利用推奨充電池を割り当てる処理を実行する。しかしながら、最大充電電力量が、「丁さん」の予測消費電力量「６０ｍＡｈ」以上且つ最大であり、未割り当てである充電池がない。従って、充電池交換管理部４２は、「丁さん」に利用推奨充電池を割り当てない。
【０２０３】
充電池交換管理部４２は、ステップＳ６０４において、利用推奨充電池を割り当てる処理（ステップＳ６０２）が全ての消防官に対して実行されていないと判定する（ステップＳ６０４でＮｏ）。充電池交換管理部４２は、ステップＳ６０６において、予測消費電力量が次に大きい「丙さん」を特定し、処理をステップＳ６０２に進める。
【０２０４】
充電池交換管理部４２は、ステップＳ６０２において、「丙さん」に利用推奨充電池を割り当てる処理を実行する。しかしながら、最大充電電力量が、「丙さん」の予測消費電力量「６０ｍＡｈ」以上且つ最大であり、未割り当てである充電池がない。従って、充電池交換管理部４２は、「丙さん」に利用推奨充電池を割り当てない。
【０２０５】
充電池交換管理部４２は、ステップＳ６０４において、利用推奨充電池を割り当てる処理（ステップＳ６０２）が全ての消防官に対して実行されていないと判定する（ステップＳ６０４でＮｏ）。充電池交換管理部４２は、ステップＳ６０６において、予測消費電力量が次に大きい「乙さん」を特定し、処理をステップＳ６０２に進める。
【０２０６】
充電池交換管理部４２は、ステップＳ６０２において、「乙さん」に利用推奨充電池を割り当てる処理を実行する。詳細には、充電池交換管理部４２は、矢印１６６で示すように、最大充電電力量が、「乙さん」の予測消費電力量「４０ｍＡｈ」以上且つ最大であり、未割り当てである「充電池Ｄ」を、利用推奨充電池として、「乙さん」に割り当てる。
【０２０７】
充電池交換管理部４２は、ステップＳ６０４において、利用推奨充電池を割り当てる処理（ステップＳ６０２）が全ての消防官に対して実行されていないと判定する（ステップＳ６０４でＮｏ）。充電池交換管理部４２は、ステップＳ６０６において、予測消費電力量が次に大きい「甲さん」を特定し、処理をステップＳ６０２に進める。
【０２０８】
充電池交換管理部４２は、ステップＳ６０２において、「甲さん」に利用推奨充電池を割り当てる処理を実行する。詳細には、充電池交換管理部４２は、矢印１６７で示すように、最大充電電力量が、「甲さん」の予測消費電力量「２０ｍＡｈ」以上且つ最大であり、未割り当てである「充電池Ｃ」を、利用推奨充電池として、「甲さん」に割り当てる。
【０２０９】
充電池交換管理部４２は、ステップＳ６０４において、利用推奨充電池を割り当てる処理が全ての消防官に対して実行されたと判定し（ステップＳ６０４でＹｅｓ）、処理をステップＳ６０８に進める。
【０２１０】
充電池交換管理部４２は、ステップＳ６０８において、利用推奨充電池が全ての消防官に割り当てられていないと判定し（ステップＳ６０８でＮｏ）、処理をステップＳ６１０に進める。
【０２１１】
充電池交換管理部４２は、ステップＳ６１０において、最大充電電力量の小さい充電池から、利用推奨充電池が割り当てられなかった消防官の数「２」と同数の充電池すなわち「充電池Ａ」及び「充電池Ｂ」を、交換推奨充電池に決定する。充電池交換管理部４２は、その後、処理をステップＳ６１２に進める。
【０２１２】
交換充電池提示部４３は、ステップＳ６１２において、交換推奨充電池である「充電池Ａ」及び「充電池Ｂ」を、充電池の管理者に提示する。充電池の管理者は、提示を受けたら、「充電池Ａ」及び「充電池Ｂ」を新品又はリサイクル処理済みの充電池に交換する。充電池交換管理部４２は、交換後の２個の充電池を、「丙さん」及び「丁さん」に割り当てることが可能である。
【０２１３】
第４動作例によれば、充電池管理システム１は、複数のユーザの各々の予測消費電力量に基づいて、交換を推奨する充電池を好適に決定できる。これにより、充電池管理システム１は、複数の充電池の管理を好適に行うことができる。また、充電池管理システム１は、複数の充電池の劣化状況と消防官の利用状況とに応じて、交換を推奨する充電池を効率的に決定することができ、経済性の高い運用を好適に行うことができる。
【０２１４】
本実施形態に係る充電池管理システム１は、電子機器５に搭載されている充電池６を充電するものとして記載されているが、充電池６単独で充電するような形態であっても良い。また、本実施形態に係る充電池管理システム１は、充電装置２と管理装置３とを別体として記載したが、充電装置２内に管理装置３が内蔵される構成としても良い。
【０２１５】
（効果）
以上説明したように、本実施形態に係る充電池管理システム１は、インシデントタイプ、インシデントの発生場所、及び、ユーザの役割に基づいて、複数のユーザの各々の予測消費電力量を算出できる。これにより、充電池管理システム１は、様々なインシデントタイプ、様々なインシデントの発生場所、及び、ユーザの様々な役割に応じて、複数のユーザの各々の予測消費電力量を好適に算出できる。また、充電池管理システム１は、複数のユーザの各々の予測消費電力量に基づいて、交換を推奨する充電池を好適に決定できる。これにより、充電池管理システム１は、複数の充電池の管理を好適に行うことができる。また、充電池管理システム１は、複数の充電池の劣化状況とユーザの利用状況とに応じて、交換を推奨する充電池を効率的に決定することができ、経済性の高い運用を好適に行うことができる。特に、どのユーザが複数の電子機器の内のどの電子機器を利用するかが固定されておらず、各ユーザが複数の電子機器の内のどの電子機器でも利用できる場合に、充電池管理システム１は、複数の充電池の管理を好適に行うことができる。
【符号の説明】
【０２１６】
１  充電池管理システム、２  充電装置、３  管理装置、４  通信路、５  電子機器、６  充電池、７  充電池情報提示部、１１  載置部、１２  表示器、２１  ユーザＩＤ取得部、２２  充電部、２３  充電池情報取得部、２４  充電制御部、３１  情報管理部、３２  ユーザ利用情報データベース、３３  充電池情報データベース、４１  交換管理部、４２  充電池交換管理部、４３  交換充電池提示部、６１  ユーザデータ、７１  インシデントデータ、８１  利用記録データ、９１  充電池データ。
【図１】
2018163759.tif 000003
【図２】
2018163759.tif 000004
【図３】
2018163759.tif 000005
【図４】
2018163759.tif 000006
【図５】
2018163759.tif 000007
【図６】
2018163759.tif 000008
【図７】
2018163759.tif 000009
【図８】
2018163759.tif 000010
【図９】
2018163759.tif 000011
【図１０】
2018163759.tif 000012
【図１１】
2018163759.tif 000013
【図１２】
2018163759.tif 000014
【図１３】
2018163759.tif 000015
【図１４】
2018163759.tif 000016
【図１５】
2018163759.tif 000017
【図１６】
2018163759.tif 000018
【図１７】
2018163759.tif 000019
【図１８】
2018163759.tif 000020
【図１９】
2018163759.tif 000021
【図２０】
2018163759.tif 000022
【図２１】
2018163759.tif 000023
【図２２】
2018163759.tif 000024
【図２３】
2018163759.tif 000025
【図２４】
2018163759.tif 000026